(57)【要約】【課題】  経血吸収の末期段階においてもタンポン本体を迂回する経血漏れを効果的に抑制できるとともに、かつ膣口側からの水の浸透を抑制し、プールや温泉などでも安心して使用できるタンポンを提供する。【解決手段】  タンポン１においては、水分を遮断する材料からなる液遮断部３によりタンポン本体２の後端側を覆われ、その液遮断部３には、タンポン本体２の後端縁から延出する形で後端が閉鎖された経血溜め部６が一体化されている。液遮断部３の本体５は、タンポン本体２の外面を迂回する経血の通過を許容する迂回許容結合部４によりタンポン本体２に対し周方向に沿って結合される。タンポン本体２は前端側から経血を吸収するとともに、経血吸収が飽和に近づいた場合は、タンポン本体２の外周面を迂回する経血流が迂回許容結合部４を通過して遮断部本体５の内部に流れ込む。遮断部本体５に流れ込んだ迂回経血流はタンポン本体２の後端縁に達した後、経血溜め部６に捕捉される。【選択図】図１
2018038771.tif 000002
【特許請求の範囲】
【請求項１】
経血を吸収する吸収材からなり前端側が膣内への挿入端として定められたタンポン本体と、
水分を遮断する可撓性材料により構成され、未使用状態における前記タンポン本体の後端部よりも径大の開口部が前端に形成されるとともに、前記タンポン本体の後端側が前記開口部から内側に挿入され、当該タンポン本体の後端部を覆う遮断部本体と、前記タンポン本体の表面を迂回する経血の通過を許容しつつ前記遮断部本体を前記タンポン本体に対し周方向に沿って結合する流通許容結合部と、水分を遮断する材料にて構成されるとともに前記タンポン本体の後端縁から延出しつつ後端が閉鎖された形状にて前記遮断部本体に内部が連通するように結合され、前記タンポン本体の後端側に流出する経血を捕捉する経血溜め部とを有する液遮断部と、
を備えたことを特徴とするタンポン。
【請求項２】
前記流通許容結合部は、前記遮断部本体を前記開口部に沿って前記タンポン本体の周方向に断続的に結合するものであり、前記流通許容結合部における非結合区間にて前記タンポン本体の外周面と前記遮断部本体の内周面との間に形成される隙間が前記迂回経血流の通過許容部とされてなる請求項１記載のタンポン。
【請求項３】
断続形成される前記流通許容結合部の隣接するもの同士の間で前記遮断部本体は外向きに撓みを生じる形で前記タンポン本体に結合されてなる請求項２記載のタンポン。
【請求項４】
前記タンポン本体は、長手方向が挿入方向と一致するように定められた縦長板状の吸収材を、縦方向の折り目に沿って幅方向中央で２つ折りにしつつ圧縮成形することにより、２つ折りにされる前記吸収材の圧着側内面と前記タンポン本体の外周面との交差位置に切れ目が形成された棒状形態をなし、経血の吸収に伴い前記液遮断部の内側において前記切れ目でＶ字形態に開きつつ膨潤するとともに、前記折り目を底とする谷状の空間が前記通過許容部となる請求項３記載のタンポン。
【請求項５】
前記長手方向と直交する断面でみたとき、成型により互いに重ね合わされる前記吸収材の幅方向両縁部に各々結合点を形成する形で、前記遮断部本体が前記タンポン本体に対し前記流通許容結合部により断続結合されるとともに、前記断面において、
前記切れ目の存在する側にて前記結合点の一方から他方に至る前記タンポン本体の外周縁長をＰとし、
前記切れ目の存在する側にて前記結合点の間にて外向きに膨出する前記遮断部本体の断面縁長さをＰ’とし、
前記切れ目の存在しない側にて前記結合点の一方から他方に至る前記タンポン本体の外周縁長をＱとし、
前記切れ目の存在しない側にて前記結合点の間にて外向きに膨出する前記遮断部本体の断面縁長さをＱ’としたとき、
Ｐ’／Ｐ＞Ｑ’／Ｑとなるように前記液遮断部の撓み延出寸法が定められている請求項４記載のタンポン。
【請求項６】
前記流通許容結合部は、前記断面において前記切れ目の存在しない側にて前記結合点の一方から他方に至る、前記タンポン本体の外周縁区間の途中に設定された１ないし複数の補助結合点において、前記タンポン本体と前記遮断部本体とを断続結合するものである請求項５記載のタンポン。
【請求項７】
前記流通許容結合部は、前記断面において前記タンポン本体の前記切れ目に対応する第一の結合点と、前記タンポン本体の直径方向において前記第一の結合点と反対側に設定される第二の結合点とにおいて、前記タンポン本体と前記遮断部本体とを各々断続結合するものである請求項４記載のタンポン。
【請求項８】
前記液遮断部の前記経血溜め部は、前記タンポン本体を前記膣内に装着したとき該経血溜め部の閉じた末端が膣口より外に延出するように長さが定められてなる請求項１ないし請求項７のいずれか１項に記載のタンポン。
【請求項９】
前記液遮断部は前記経血溜め部が前記遮断部本体よりも径小に形成されている請求項８記載のタンポン。
【請求項１０】
前記液遮断部は前記遮断部本体と前記経血溜め部とが熱可塑性樹脂フィルム又はゴム材料により一体形成されている請求項９記載のタンポン。
【請求項１１】
前記タンポン本体の後端に一体化された取り出しコードが前記経血溜め部内に収容されてなる請求項１０記載のタンポン。
【請求項１２】
前記経血溜め部は前記遮断部本体の後端より延伸しつつ、前記取り出しコードとともに一体的に屈曲可能となるよう該取り出しコードを長手方向に沿って被覆するものである請求項１１記載のタンポン。
【請求項１３】
前記経血溜め部は装着状態にて膣内に配置される部分が、前記遮断部本体よりも高剛性を有する膣封止部とされてなる請求項１ないし請求項９のいずれか１項に記載のタンポン。
【請求項１４】
前記膣封止部は、樹脂又はゴムにより前記遮断部本体よりも壁厚が大きく形成されてなる請求項１３記載のタンポン。
【請求項１５】
前記経血溜め部は熱可塑性樹脂フィルムにより前記遮断部本体と一体形成される可撓性の延長部を有し、前記膣封止部は前記延長部とは異なる材質にて該延長部に直接または他部材を介して間接的に結合されてなる請求項１４記載のタンポン。
【請求項１６】
前記膣封止部は前記延長部に着脱可能に結合されてなる請求項１５記載のタンポン。
【請求項１７】
前記延長部と前記膣封止部との間には、熱可塑性樹脂により中空筒状に形成され、前端側に前記延長部が液密に固着される一方、後端側に前記膣封止部を着脱可能に嵌合させる嵌合部が形成されたコネクタ部が設けられている請求項１６記載のタンポン。
【請求項１８】
前記膣封止部が熱可塑性樹脂により形成され、前記延長部の末端に熱圧着により直接液密結合されている請求項１５記載のタンポン。
【請求項１９】
前記膣封止部に取り出しコードの先端が結合されてなる請求項１３ないし請求項１８のいずれか１項に記載のタンポン。
【請求項２０】
前記取り出しコードの先端部が前記膣封止部の後端をなす底部に対し、先端縁が前記底部の厚み方向において中間に位置するように埋設されている請求項１９記載のタンポン。
【請求項２１】
前記液遮断部の前記遮断部本体の開口周縁に沿ってリング状の弾性部が一体形成されている請求項１ないし請求項２０のいずれか１項に記載のタンポン。
【請求項２２】
前記遮断部本体が前記リング状の弾性部ととともにゴム材料で形成されてなる請求項２１記載のタンポン。
【請求項２３】
前記ゴム材料がラテックスゴムである請求項２１記載のタンポン。
【発明の詳細な説明】
【技術分野】
【０００１】  この発明はタンポンに関し、特に経血の迂回漏れを効果的に防止することができるタンポンに関する。
【背景技術】
【０００２】  経血を吸収する生理用品は、膣口から流出する経血を膣口外から覆う形で吸収するナプキンと、膣内に挿入して使用するタンポンとに大別される。ナプキンは膣口周辺を大面積にて覆うので、経血の多い日でもサイズの選択により手厚い対応が可能である。これに対し、タンポンは経血が膣口から漏れ出す前に内部で吸収を図るため快適であり、臭い等も気にならない利点がある。しかし、タンポンはナプキンほどの吸収量を有さないため、吸収限界を超えて装着を継続すると経血が漏れ出しやすい欠点もある。タンポンは快適であるが故に装着中であることを忘れてしまいがちであり、気付いた時には経血漏れが相当進んでしまっていることもあり得る。【０００３】  タンポンからの経血漏れは、その装着形態から必然的にタンポン後端側（装着状態にて膣口に近い側）で発生する。そこで、タンポン後端部を水遮断性フィルムや皮膜で覆うことにより漏れ止めを図る提案が、古くから多数なされてきている（特許文献１〜１２）。
【先行技術文献】
【特許文献】
【０００４】
【特許文献１】  実開昭  ５８−５４２５号公報
【特許文献２】  実登  ３１７１１９１号公報
【特許文献３】  実開昭  ６２−１１１０２３号公報
【特許文献４】  特開２０１０−２６４１３１号公報
【特許文献５】  特開２００３−１８０７４１号公報
【特許文献６】  特表２０１０−５０６９７４号公報
【特許文献７】  特表２００７−５２７２７４号公報
【特許文献８】  特表２００７−５０９６５６号公報
【特許文献９】  特表２００１−５０２９２９号公報
【特許文献１０】  特表２０１２−５２３９１１号公報
【特許文献１１】  特表２０１１−５１９６７６号公報
【特許文献１２】  特表２００４−５３８０２５号公報
【発明が解決しようとする課題】
【０００５】  特許文献１〜９に開示されたタンポンは、未使用状態にてタンポン本体の後端部外周面に漏れ止め被覆が密着形態で設けられている。この場合、被覆されていない前端側は経血の吸収により膨潤して大きく開くが、後端側は密着する被覆層により緊束状態となり、小径の状態にとどまる。この様子は、最も古い先行技術文献である特許文献１の第３図に示されている通りである。これにより発生する問題は以下の通りである。
【０００６】（１）タンポン本体の後端部は被覆層により緊束されているため経血吸収が進みにくく、タンポン本体全体で見たときの吸収能力が低下する。
（２）経血吸収の末期においては、タンポン本体の前端側は大きく膨らんで膣内壁面を圧迫するが、後端側は膨張がそれほど進まず膣内壁面からの締め付けは逆に弱まる。経血を吸いきれなくなったタンポン本体の前端側では、経血の表面迂回が始まり後端側の表面に向かうこととなる。この経血の迂回流は、漏れ止め被覆とタンポン本体とが密着しているため、締め付けの弱まった膣内面と被覆外面との隙間に向かいやすくなり、経血漏れを防ぐことができない。
（３）タンポン本体に後端部には取り出しコードが漏れ止め被覆を貫いて外に延出した構造になっているが、経血はこの取り出しコードを伝って流出しやすい。従って、漏れ止め被覆に覆われているタンポン本体の後端部に経血がしみ込んだ場合、取り出しコードを経由して被覆の外に経血が漏れ出すおそれがある。
【０００７】（４）タンポンを装着したままプールに入ったり入浴したりすると、外部からの水が膣内にしみ込んでくるケースがある。特に、遊泳時は運動により膣口が断続的に開きやすく、水の侵入量は多くなる。被覆層を有さない通常のタンポンであると、この侵入する水がタンポン本体後端部を湿潤させてしまい、経血の吸収代が奪われて早い段階で経血漏れが生じやすくなる。こうした事情により、生理期間中は水泳の授業、プールでのレクリエーションや海水浴、温泉地などへの旅行を見合わせる女性も多く、ストレスや落胆につながる。上記の被覆層は初期段階では水の侵入を多少抑制する効果はあるものの、経血吸収によるタンポン本体前端側の膨張が進むと、被覆層で緊束される後端側への締め付け力は弱まるから水の侵入は完全には抑えきれないし、タンポン本体前端側が経血を吸い切ってしまえば経血漏れが生ずることに何ら変わりはない。
【０００８】  一方、特許文献１０〜１２には、タンポン本体後端部をそれよりも径大の被覆層により緩く覆い、タンポン本体前端部表面を経由した経血の流れを被覆層の内側に誘導することにより、経血の迂回漏れ防止を図る構成が開示されている。この構成では、被覆層が径大であり、タンポン本体後端部の膨張代が確保されるとともに、被覆層がタンポン本体に密着していないために経血は被覆層の内側に流れ込みやすくなり、特許文献１〜９のようにタンポン本体後端部の経血吸収が妨げられる不具合は抑制される。しかし、次のような問題を依然解決することができない。
【０００９】（５）特許文献１０及び１１の構成では、タンポン本体を構成する吸収材層と被覆層とが成型前に接着積層されており、成型後において被覆層はタンポン本体の後端部に接着結合された状態となる。つまり、タンポン本体の後端側も含めて被覆層との間には経血をため込むスペース的な余裕はほとんどなく、経血吸収が飽和した後は、タンポン本体と被覆層との僅少な空間が経血によりすぐに満たされ、結局経血漏れにつながる。なお、特許文献１０及び１１の構成では、タンポンの取り出しコードが吸収材層に結合されているが、取り出しコードと吸収材層とが水浸透に対して絶縁状態にあるかどうかは定かではない。しかし、吸収材層と被覆層とが接着されていることから、吸収材層中の経血が取り出しコード側に流れ出す可能性は十分にあり得ると考えられる。
（６）特許文献１２の構成では、被覆層の後端が取り出しコードの結合端付近まで覆っているが、取り出しコードはその部分を貫いて後方に伸びており、経血は取り出しコードないしその周囲を伝って外へ漏れ出すおそれがある。
【００１０】  本発明の課題は、経血吸収の末期段階においてもタンポン本体を迂回する経血漏れを効果的に抑制できるとともに、膣口側からの水の浸透を抑制し、プールや温泉などでも安心して使用できるタンポンを提供することにある。
【課題を解決するための手段】
【００１１】  上記課題を解決するために、本発明のタンポンは、経血を吸収する吸収材からなり前端側が膣内への挿入端として定められたタンポン本体と、
水分を遮断する可撓性材料により構成され、未使用状態におけるタンポン本体の後端部よりも径大の開口部が前端に形成されるとともにタンポン本体の後端側が開口部から内側に挿入され、当該タンポン本体の後端部を覆う遮断部本体と、タンポン本体の表面を迂回する経血の通過を許容しつつ遮断部本体をタンポン本体に対し周方向に沿って結合する流通許容結合部と、水分を遮断する材料にて構成されるとともにタンポン本体の後端縁から延出しつつ後端が閉鎖された形状にて遮断部本体に内部が連通するように結合され、タンポン本体の後端側に流出する経血を捕捉する経血溜め部とを有する液遮断部と、を備えたことを特徴とする。
【００１２】  上記本発明によると、水分を遮断する材料からなる液遮断部によりタンポン本体の後端側を覆うとともに、その液遮断部には、タンポン本体の後端縁から延出する形で後端が閉鎖された経血溜め部が一体化されている。そして、液遮断部の本体は、タンポン本体外面を迂回する経血の通過を許容する流通許容結合部によりタンポン本体に対し周方向に沿って結合される。タンポン本体は前端側から経血を吸収するとともに、経血吸収が飽和に近づいた場合は、タンポン本体の外周面を迂回する経血流が流通許容結合部を通過して遮断部本体の内部に流れ込む。遮断部本体に流れ込んだ迂回経血流はタンポン本体の後端縁に達した後、経血溜め部内に流れ込んで捕捉される。この経血溜め部は後端側が閉鎖されているので、補足された経血が外部に漏れ出すことがない。すなわち、タンポン本体後端側に新たに形成される経血溜め部が、吸収飽和したタンポン本体の外へ流れ出す経血を捕捉するので、経血迂回漏れが効果的に防止ないし抑制される。また、装着状態にて膣口側に位置するタンポン本体後端部が液遮断部にて被覆されるので、膣口側から侵入する水がタンポン本体の後端側から浸透することが抑制され、プールや入浴時等においても安心して使用できる。
【００１３】  流通許容結合部は、遮断部本体を開口部に沿ってタンポン本体の周方向に断続的に結合するものとして形成できる。この場合、流通許容結合部における非結合区間にてタンポン本体の外周面と遮断部本体の内周面との間に形成される隙間が迂回経血流の通過許容部（経血通路）とされる。タンポン本体と遮断部本体との間に非結合区間が形成されることで、タンポン本体表面を伝う経血を該非結合区間にて遮断部本体の内側に効率的に導くことができ、ひいては遮断部本体外側への経血漏れをより効果的に防止ないし抑制することができる。
【００１４】  遮断部本体は、断続形成される流通許容結合部の隣接するもの同士の間で外向きに撓みを生じる形でタンポン本体に結合することができる。このように構成すると、タンポン本体は経血吸収に伴う体積変化を遮断部本体の撓みが吸収するので、膣内のタンポン本体の後端部に過度な緊束力がかからず、経血吸収能力が損なわれにくくなる。
【００１５】  タンポン本体は、長手方向が挿入方向と一致するように定められた縦長板状の吸収材を、縦方向の折り目に沿って幅方向中央で２つ折りにしつつ圧縮成形することにより、２つ折りにされる吸収材の圧着側内面とタンポン本体の外周面との交差位置に切れ目が形成された棒状形態に形成することができる。このようなタンポン本体は、経血の吸収に伴い液遮断部の内側において上記切れ目でＶ字形態に開きつつ膨潤するとともに、折り目を底とする谷状の空間が通過許容部となる。タンポン本体が経血を吸収して大きく膨らんだ状態では、その後端部を覆う遮断部本体は膣内面とタンポン本体とに挟まれて密着するので、経血の流通抵抗が大きくなる。しかし、上記の形状にタンポン本体を形成しておくと、Ｖ字形態に開きつつ膨潤するタンポン本体と遮断部本体との間に流通抵抗の小さい谷状の空間が形成され、流下する経血はここを通過して容易に経血溜めに回収することができる。
【００１６】  上記タンポン本体の形態を採用するにあたっては、次のように構成するとさらによい。すなわち、長手方向と直交する断面でみたとき、折り目と反対側にて互いに重ね合わされる吸収材の幅方向両縁部に各々結合点を形成する形で、遮断部本体をタンポン本体に対し流通許容結合部により断続結合する。そして、該断面において、切れ目の存在する側にて結合点の一方から他方に至るタンポン本体の外周縁長をＰとし、切れ目の存在する側にて結合点の間にて外向きに膨出する遮断部本体の断面縁長さをＰ’とし、切れ目の存在しない側にて結合点の一方から他方に至るタンポン本体の外周縁長をＱとし、切れ目の存在しない側にて結合点の間にて外向きに膨出する遮断部本体の断面縁長さをＱ’としたとき、Ｐ’／Ｐ＞Ｑ’／Ｑとなるように液遮断部の撓み延出寸法を定める。すなわち、未使用状態のタンポン本体の外周縁に対し外向きに膨出する液遮断部の相対撓み率のうち、折り返される吸収材の開く側（すなわち、切れ目の存在する側）の値Ｐ’／Ｐを、開かない側（切れ目の存在しない側）の値Ｑ’／Ｑよりも大きく設定するのである。これにより、経血吸収に伴いタンポン本体が開きながら大きく変位する区間では遮断部本体の撓み量がより多く確保され、遮断部本体内側のＶ字断面の経血通路を大きく確保できる一方、反対側の区間では遮断部本体の撓み量が小さいので膨らんだタンポン本体との密着度が向上し、この区間での遮断部本体外への経血の漏れ込み防止できる。その結果、タンポン本体表面を迂回する経血の流れをより確実にＶ字断面の経血通路に導くことができる。
【００１７】  なお、流通許容結合部は、上記の断面において切れ目の存在しない側にて結合点の一方から他方に至る、タンポン本体の外周縁区間の途中に設定された１ないし複数の補助結合点において、タンポン本体と遮断部本体とを断続結合するように形成することもできる。この区間は、タンポン本体が開くのと反対側に位置する部分であり、開く側に比べて遮断部本体の撓み量は少ないが、区間長自体は長いので経血吸収が進んでいない状態ではタンポン本体の周囲にしわが生ずる。そこで、該区間の途中に遮断部本体との補助結合点を設けておくと、このしわの偏りが経血漏れや膣口側からの水の漏れ込みの要因となることを効果的に抑制することができる。
【００１８】  また、流通許容結合部は、上記の断面においてタンポン本体の切れ目に対応する第一の結合点と、タンポン本体の直径方向において第一の結合点と反対側に設定される第二の結合点とにおいて、タンポン本体と遮断部本体とを各々断続結合するように形成してもよい。これにより、遮断部本体の内側には、２つの結合点Ｇ，Ｆのそれぞれの側に経血通路が形成され、経血溜め部に経血をスムーズに導くことができる。
【００１９】  次に、液遮断部の経血溜め部は、タンポン本体を膣内に装着したとき該経血溜め部の閉じた末端が膣口より外に延出するように長さを定めることができる。このようにすると、膣口の外へ露出する経血溜め後端部への経血の溜まり具合を目視で確認することができ、タンポン本体の経血の吸収状況ひいては交換時期を容易に把握することができる。
【００２０】  この場合、液遮断部の経血溜め部は遮断部本体よりも径小に形成しておくと、経血溜め部が膣口位置に留置されることの違和感を減少させることができる。また、経血溜め部装着に伴う膣口の開きが小さくなるので、プールや入浴時において膣口側からの水の逆流もより生じにくくなる。
【００２１】  液遮断部は、例えば遮断部本体と経血溜め部とを熱可塑性樹脂フィルム又はゴムにより一体形成する構成とすることもできる。このとき、経血溜め部が遮断部本体よりも径小であれば経血溜め部が膣口内でかさばらず、膣口からの水の逆流はより生じにくくなる。特にゴム、例えばコンドーム等に使用される薄いラテックスゴム（厚み０．０２ｍｍ以上０．１ｍｍ以下）であれば、上記の効果は一層大である。
【００２２】  また、タンポン本体の後端に取り出しコードを一体化する場合は、この取り出しコードを経血溜め部内に収容することができる。これにより、取り出しコードを伝う経血の漏れ出しも効果的に防止でき、かつ、経血溜め部とともに取り出しコードを膣口外に露出させておけば、使用済タンポンの取り出しも容易に行うことができる。特に、経血溜め部を、遮断部本体の後端より延伸させつつ、取り出しコードとともに一体的に屈曲可能となるよう、該取り出しコードを長手方向に沿って被覆するものとして形成すれば、上記の効果は一層高められる。
【００２３】  一方、経血溜め部は、装着状態にて膣内に配置される部分を、遮断部本体よりも高剛性を有する膣封止部として形成することもできる。経血溜め部の剛性を高めておくことで、装着時に経血溜め部と膣内面との密着性が向上し、膣口側からタンポン本体に向けた水の逆流をより起こりにくくすることができる。このような膣封止部は、樹脂又はゴムにより遮断部本体よりも壁厚が大きくなるように形成しておくと、膣内面からの締め付け力をより確実に受け止めることができる。膣封止部は膣口内に位置させてもよいし、膣奥内に押し込んで使用してもよい。
【００２４】  膣封止部の遮断部本体との結合形態は種々採用可能であるが、例えば経血溜め部に熱可塑性樹脂フィルムにより遮断部本体と一体形成される可撓性の延長部を設けておくことができる。膣封止部は該延長部に直接または他部材を介して間接的に結合すればよく、延長部とは異なる材質にて膣封止部を形成する場合も、経血溜め部を含めた液遮断部の製造が容易となる。この場合、膣封止部は延長部に着脱可能に結合することができる。これにより、使用済タンポンから膣封止部を取り外し、再利用することも可能となる。一具体例として、延長部と膣封止部との間に、熱可塑性樹脂により中空筒状に形成され、前端側に延長部が液密に固着される一方、後端側に膣封止部を着脱可能に嵌合させる嵌合部が形成されたコネクタ部を設けておくことができる。このようなコネクタ部を延長部との間に介在させることにより、膣封止部の再利用に伴う着脱を極めて容易に行うことができる。
【００２５】  一方、膣封止部を熱可塑性樹脂により形成しておき、上記延長部の末端に熱圧着により直接液密結合することもできる。この構成はコネクタ部を設ける場合よりも簡易であり、膣封止部も含めてタンポン全体を使い捨て形態にする場合に好都合である。
【００２６】  上記のように膣封止部を設ける場合、膣封止部の剛性が高いことから、タンポン取り出しの便宜を図るために膣封止部の先端を膣口外に大きく露出させると、使用者の違和感が大きくなる。そこで、膣封止部に取り出しコードの先端を結合しておけば、膣封止部の膣口からの露出長を短くした使い方や、あるいは膣内に膣封止部を埋没させてしまう使い方を実施しても、膣封止部につながる取り出しコードを通常のタンポンと同様に膣口外に引き出しておくことで、使用済みのタンポンを容易に取り出すことができる。このとき、取り出しコードの先端部を、膣封止部の後端をなす底部に対し、先端縁が底部の厚み方向において中間に位置するように埋設しておけば、膣封止部の内部が底部を介して取り出しコード先端部と空間的に隔離され、膣封止部にたまり込む経血が取り出しコードを介して外へ漏れ出すこともなくなる。
【発明の効果】
【００２７】  本発明の作用及び効果の詳細については、「課題を解決するための手段」の欄にすでに記載したので、ここでは繰り返さない。
【図面の簡単な説明】
【００２８】
【図１】  本発明の実施の形態１にかかるタンポンの正面図、側面図及び背面図。
【図２】  図１のタンポンをアプリケータに組み込んだ状態を示す図。
【図３】  タンポン本体２の構造の詳細を示す斜視図。
【図４】  図１のＴ矢視図。
【図５】  図４のタンポンが経血を吸収した状態を示す平面図。
【図６】  遮断部本体とタンポン本体との寸法関係を示す断面図。
【図７】  遮断部本体の内径の相違によるタンポンの膣内における装着状態の差を示す説明図。
【図８】  遮断部本体のタンポン本体に対する被覆位置を説明する図。
【図９】  遮断部本体のタンポン本体に対する被覆長さの影響を説明する図。
【図１０】  図１のタンポン本体の使用方法の説明図。
【図１１】  図１０に続く説明図。
【図１２】  図１１に続く説明図。
【図１３】  図１２に続く説明図。
【図１４】  図１３に続く説明図。
【図１５】  液遮断部の変形例を示す正面図。
【図１６】  同じく別の変形例を示す正面図。
【図１７】  流通許容結合部の形成形態の変形例を示す平面図。
【図１８】  流通許容結合部の具体例を示す図。
【図１９】  同じく別の具体例を示す図。
【図２０】  本発明の実施の形態２にかかるタンポンの背面図。
【図２１】  図２０のタンポンをアプリケータに組み込んだ状態を示す図。
【図２２】  図２０のタンポンの装着状態を示す図。
【図２３】  膣封止部の形成例を示す断面図。
【図２４】  膣封止部の変形例を示す断面図。
【図２５】  膣封止部の別の変形例を示す断面図。
【図２６】  実施の形態３にかかるタンポンを示す斜視図。
【図２７】  図２６のタンポン本体に対する遮断部本体の結合形態を示す説明図。
【図２８】  流通許容結合部の変形例を示す斜視図。
【図２９】  同じく別の変形例を示す斜視図。
【図３０】  実施の形態４にかかるタンポンを示す背面図。
【図３１】  図３０のタンポンの変形例を示す背面図。
【図３２】  図３１の流通許容結合部位置における平面断面図。
【図３３】  図３１のタンポンが経血を吸収した状態を示す背面図。
【図３４】  図３３の流通許容結合部位置における平面断面図。
【発明を実施するための形態】
【００２９】  以下、本発明を実施するための形態を添付の図面を用いて説明する。
（実施の形態１）
図１は、本発明の実施の形態１にかかるタンポン１を示すものである。タンポン１は、タンポン本体２と、液遮断部３とからなる。タンポン本体２は、経血を吸収する吸収材からなり前端側（図面上側）が膣内への挿入端として定められている。液遮断部３は、遮断部本体５と、経血溜め部６と、流通許容結合部４とを備える。
【００３０】  遮断部本体５は水分を遮断する可撓性材料により構成され、未使用状態におけるタンポン本体２の後端部よりも径大の開口部３ｂが前端に形成されている。タンポン本体２は後端側が開口部３ｂから遮断部本体５の内側に挿入されており、これにより遮断部本体５はタンポン本体２の後端部を覆っている。流通許容結合部４は、タンポン本体２の表面を迂回する経血の通過を許容しつつ遮断部本体５をタンポン本体２に対し周方向に沿って結合するものである。経血溜め部６は、水分を遮断する材料にて構成され、タンポン本体２の後端縁から延出しつつ後端が閉鎖された形状にて遮断部本体５に内部が連通するように結合され、タンポン本体２の後端側に流出する経血を捕捉する役割を果たす。
【００３１】  本実施形態においてタンポン本体２は周知の吸水性材料よりなる。吸水性材料としては、高吸水性のコットン繊維、例えば脱脂されたコットン繊維、レーヨン繊維又はこれらの混合物などが用いられる。これらの繊維は、吸液性能の点からその繊度が１〜５デニール程度であることが好適である。その繊維長は、繊維の脱落防止の点から２０ｍｍ以上、特に３０ｍｍ以上であることが好適である。またタンポン本体２の構成材料として、少量の疎水性繊維が含まれていてもよい。
【００３２】  タンポン本体２は、図３に示すように、これら吸液性材料からなるシート材を複数枚重ねて圧着し、さらに裁断して吸収材２’とした後、金型成型により棒状に圧縮したものである。吸収材２’は、長手方向が挿入方向と一致するように定められた縦長板状であり、前端側が平面視にて谷状の縁部を形成する一方、後端側は前端側の形状を反転させた山状の縁部をなしている。その幅方向の中央には縦方向の折り目Ｊが形成され、該折り目Ｊに沿って幅方向中央で２つ折りにしつつ、図３右に示すように、先端が球面状に丸められた円形断面の棒柱状に圧縮成形される。また、２つ折りにされる吸収材の圧着側内面とタンポン本体２の外周面との交差位置には切れ目８が形成される。そして、吸収材２’の裏面には、折り目Ｊに沿って繊維材料からなる取り出しコード７の前端部が結合され、圧縮後のタンポン本体２に対し後端縁から後方に延出する形で一体化されている。本実施形態において、タンポン本体２は、長さが約４５ｍｍ、外径が約１４ｍｍであり、取り出しコード７の長さは８０ｍｍである。
【００３３】  また、液遮断部３は、遮断部本体５と経血溜め部６とを合わせた全体が、熱可塑性樹脂シート、具体的にはポリエチレンシートないしポリプロピレンシートにより筒状に一体形成されている。図４は、未使用状態のタンポン１を前端側から見た場合の平面図である（図１の正面図におけるＴ方向矢視）。流通許容結合部４は、遮断部本体５を開口部３ｂ（図１参照）に沿ってタンポン本体２の外周面に対し断続的に結合している。流通許容結合部４は、例えば図１８に示すごとく、遮断部本体５をタンポン本体２の吸収材層に対し糸により縫い付ける縫合部として形成されているが、図１９に示す熱圧着部４ｈとして形成することもできる。
【００３４】  図４に戻り、タンポン１においては、断続形成される流通許容結合部４の隣接するもの同士の間、すなわち、結合点Ｇ１，Ｇ２の間、Ｇ２，Ｋの間、Ｋ，Ｇ１の間で、各々外向きに撓み部Ｐ，Ｑ２，Ｑ１を生じる形で遮断部本体５がタンポン本体２に結合されている。具体的には、長手方向と直交する断面でみたとき、折り目Ｊと反対側にて互いに重ね合わされる吸収材の幅方向両縁部に各々結合点（以下、主結合点という）Ｇ１，Ｇ２を形成する形で、遮断部本体５がタンポン本体２に対し流通許容結合部４により結合されている。また、本実施形態においては、流通許容結合部４は、上記の断面において切れ目８の存在しない側にて結合点Ｇ１，Ｇ２の一方から他方に至る、タンポン本体２の外周縁区間の途中に設定された補助結合点Ｋにおいても、タンポン本体２と遮断部本体５とが結合されている。図４においては、補助結合点Ｋは、折り目Ｊに対応する位置に１か所のみ設けているが、図１７に示すごとく、補助結合点を複数個所に設けるようにしてもよい。具体的には、補助結合点は、折り目Ｊに対応するＫ１と、該Ｋ１から主結合点Ｇ１，Ｇ２に至る各区間のうち中間位置Ｋ２，Ｋ３にそれぞれ設定されている。なお、図４に二点鎖線で示すように、補助結合点Ｋを廃止して当該区間に流通許容結合部を設けない構成とすることも可能である。
【００３５】  図４に示すように、遮断部本体５の各結合点間における撓み量は、次のように定めてある。すなわち、切れ目８の存在する側にて結合点Ｇ１，Ｇ２の一方から他方に至るタンポン本体２の外周縁長をＰとし、切れ目８の存在する側にて結合点Ｇ１，Ｇ２の間にて外向きに膨出する遮断部本体５の断面縁長さをＰ’とし、切れ目８の存在しない側にて結合点Ｇ１，Ｇ２の一方から他方に至るタンポン本体２の外周縁長をＱ（＝Ｑ１＋Ｑ２）とし、切れ目８の存在しない側にて結合点Ｇ１，Ｇ２の間にて外向きに膨出する遮断部本体５の断面縁長さをＱ’（＝Ｑ１’＋Ｑ２’）としたとき、Ｐ’／Ｐ＞Ｑ’／Ｑとされている。
【００３６】  図６に示すように、遮断部本体５の内径Ｄは、タンポン本体２の外径をｄとして、Ｄ／ｄの値を、図７（ｂ）に示すように、未使用状態で膣Ｖ内に装着したとき、遮断部本体５に過度にしわが寄らないように適宜設定することが望ましい。図７（ａ）に示すように、Ｄ／ｄが小さすぎると膣Ｖ内にて遮断部本体５とタンポン本体２とが密着しすぎ、経血を遮断部本体５の内側にスムーズに導けなくなる。一方、図７（ｃ）に示すように、Ｄ／ｄが大きすぎると、遮断部本体５に生じたしわがタンポン本体２と膣Ｖの内面との間で重なり合い、不要な隙間が生じて遮断部本体５の外への経血の漏れ出しが著しくなる。Ｄ／ｄの値は、例えば１．１以上２．０以下（望ましくは１．４以上１．８以下）に設定するのがよい。
【００３７】  図５は、経血をほぼ飽和まで吸収した状態での図４に対応する平面図である。タンポン本体２は、長手方向と直交する断面形状でみたとき液遮断部３の内側にてＶ字形態に開きつつ膨潤し、遮断部本体５の内側において折り目Ｊを底とする谷状の空間が主たる通過許容部（以下、主経血通路という）Ｃｈとなる。経血が遮断部本体５の外へ漏れ出さないようにするためには、タンポン本体２が経血をほぼ飽和まで吸収した状態において、遮断部本体５の主経血通路Ｃｈを見込む区間Ｐ（図１の符号３ａ：以下、主経血通路形成撓み部３ａという）ができるだけ展張状態となり、反対側の区間Ｑ１，Ｑ２がタンポン本体２の外面に密着していることが望ましい。また、通過許容部Ｃｈが十分な断面積で形成されるようにするには、タンポン本体２が経血をほぼ飽和まで吸収した状態における、主結合点Ｇ１，Ｇ２間の直線距離をＷ’、その状態で遮断部本体５による拘束を解除することにより互いに遠ざかる主結合点Ｇ１，Ｇ２間の、タンポン本体２を通過許容部Ｃｈ側が上となるよう平置き形態で静置したときの距離をＷとして、Ｗ／Ｗ’が１．１以上１．５以下となっていることが望ましい。
【００３８】  また、図８に示すように、タンポン本体２の全長をＬ、タンポン本体２の遮断部本体５に覆われている区間の長さをＬ’としたとき、Ｌ’／Ｌは０．３以上０．７以下に設定することが望ましい。図８に示すように、Ｌ’／Ｌが小さすぎる場合（左側）も、大きすぎる場合（右側）も、いずれも、迂回経血Ｂの遮断部本体５の外側への漏れ出しが生じやすくなる場合がある。
【００３９】  図１に戻り、液遮断部３は、経血溜め部６が遮断部本体５よりも径小に形成されている。経血溜め部６はテーパ状に縮径する延長部６ａと、取り出しコード７を長手方向に沿って被覆するコード被覆部６ｂとからなる。これにより、経血溜め部６は遮断部本体５の後端より延伸しつつ取り出しコード７とともに一体的に屈曲可能となっている。コード被覆部６ｂは扁平細長形状とされ、その幅は例えば３ｍｍ以上１５ｍｍ以下程度の間で調整される。
【００４０】  図２は、タンポン１をアプリケータ５０内に収容した状態を示すものである。アプリケータ５０はタンポン１を収容するケース５１と、タンポン１を押し出すためのピストン５２とからなる。ケース５１の先端側は開口しており、タンポン１は挿入側となる前端側が該開口側を向くようにケース５１内に収容される。液遮断部３は、遮断部本体５の主経血通路形成撓み部３ａについてはタンポン本体２の外周面に巻き付ける形で、経血溜め部６についてはタンポン本体２の後端面とピストン５２の先端面との間で蛇腹状に畳んだ状態で、それぞれケース５１内に収容されている。
【００４１】  図１１は、タンポン１を膣Ｖ内に装着した状態を示すものである。経血溜め部６のコード被覆部６ｂは、タンポン本体２を膣Ｖ内に装着したとき、閉じた末端が膣口Ｖｈより外に延出するように長さが定められている。遮断部本体５よりも径小（狭幅）に形成されたコード被覆部６ｂは、膣口Ｖｈ内で扁平につぶされた状態で、閉じた末端が取り出しコード７とともに膣口Ｖｈの外へ延出し、その延出位置にてコード被覆部６ｂの両側は膣口内壁面同士の密着により封止された状態となる。
【００４２】  以下、タンポン１の使用方法を図面に基づき説明する。
図１０の右側に示すように、アプリケータ５０に収容されたタンポン１の先端側を膣口Ｖｈに当て、ピストン５２を押し込むことにより、同図右側に示すように、タンポン１は膣Ｖ内に挿入される。次いで、タンポン本体２を、後端面側から蛇腹状に畳まれた経血溜め部６を介して指等で膣Ｖ内に押し込み、コード被覆部６ｂで被覆された取り出しコード７を引っ張り出し、コード被覆部６ｂの折れ曲がりやしわを伸ばして修正すると、図１１の装着完了状態となる。
【００４３】  この状態で、膣Ｖの奥の子宮側から経血Ｂが流下してくると、液遮断部３に覆われていないタンポン本体２の液遮断部３に覆われていない先端部から吸収が開始される。図１２に示すように、タンポン本体２の先端側は液吸収により膨潤して膨らむとともに、切れ目側からＶ字形状に開き始める。その後も経血の流下が続くことにより、液吸収した領域は徐々にタンポン本体２の後端側に向けて拡大してゆく。他方、使用開始後のタンポン本体２は、経血が最初に当たり始める先端側ほど吸収材の含水率が高いので、後端側まで吸収が進まないうちに経血はタンポン本体２の表面を伝って外周面側に流れ込んでゆく。このとき、液遮断部３の遮断部本体５は、図４に示すように、タンポン本体２の後端部外側に撓み部Ｐ，Ｑ１，Ｑ２を生じているため、その内側を通って図１２に示すように、タンポン本体２の後端部外表面からも吸収されてゆく。
【００４４】  そして、タンポン本体２の後端部まで経血が十分浸透した状態になると、図１３のようになる。タンポン本体２の前端側は遮断部本体５よりも外側に張り出す形で膨張し、膣Ｖの内壁面にグリップされた状態となる。一方、タンポン本体２の後端側は、図５に示すように、遮断部本体５の内側にて３つの撓み部Ｐ，Ｑ１，Ｑ２による変形代を食いつぶしながらＶ字形態に開きつつ膨潤する。そして、撓み部Ｐ，Ｑ１，Ｑ２の変形代がなくなるまで膨潤が進むと、撓み部Ｐは主結合点Ｇ１，Ｇ２の間で突っ張り展張した状態で膣内面に密着する一方、その内側は折り目Ｊを底とする谷状の主経血通路Ｃｈを形成する。他方、これと反対側の撓み部Ｑ１，Ｑ２は山状に膨らむタンポン本体２の背面により展張されながら膣内壁面に密着する。
【００４５】  本実施形態では、Ｐ’／Ｐ＞Ｑ’／Ｑとなるように液遮断部３の撓み延出寸法が定められている。すなわち、未使用状態のタンポン本体２の断面周縁に対する液遮断部３の相対撓み量のうち、折り返される吸収材の開く側の値Ｐ’／Ｐを、開かない側の値Ｑ’／Ｑよりも大きく設定しているので、主経血通路Ｃｈの形成側で遮断部本体５の撓み量がより多く確保され、主経血通路Ｃｈの断面積を大きく確保できる一方、反対側の区間では遮断部本体５の撓み量が小さくなっているので、膨らんだタンポン本体２との密着度がより向上するのである。
【００４６】  図１４に示すように、この状態になると、タンポン本体２への経血の浸みこみは進まなくなり、その後はタンポン本体２の表面を伝たって後端側へと流れ始める。このとき、撓み部Ｑ１，Ｑ２の区間では膨らんだタンポン本体２と膣内面との密着度が高く、経血の流通抵抗は高くなる一方、撓み部Ｐの区間では主経血通路Ｃｈの形成により経血はその内部を容易に流通できる。その結果、流下する経血Ｂは、抵抗の高い撓み部Ｑ１，Ｑ２の区間を避け、主経血通路Ｃｈにもっぱら流れ込む形となる。
【００４７】  主経血通路Ｃｈに流れ込んだ迂回経血流はタンポン本体２の後端縁に達した後、経血溜め部６に捕捉される。この経血溜め部６は後端側が閉鎖されているので、補足された経血が外部に漏れ出すことがない。すなわち、タンポン本体２の後端側に新たに形成される経血溜め部６が、吸収飽和したタンポン本体２の外へあふれ出す経血を収容し、経血の迂回漏れが効果的に防止ないし抑制される。
【００４８】  これと同様の目的で経血をため込む用具として月経カップがあるが、カップの開口部は膣口よりも大きい可撓性の弾性リングとして形成され、指で折りたたみながら膣内に挿入しつつ子宮出口に密着させながら広げて装着するものである。カップは子宮の出口で経血をため込むことになる。また、膣の入口側よりもカップ開口部が大きく形成されているので、膣外への脱落は生じにくいが、装着が面倒である上、カップ内の経血が流動状態で捕捉されるので、一杯になると体重圧迫などにより漏れが発生する懸念がある。
【００４９】  これに対し、図１３に示すように、本発明のタンポン１によれば、経血はあくまで大半がタンポン本体２に吸収されて流動が妨げられるので、体重圧迫により染み出す恐れはない。そして、迂回経血はタンポン本体２の後端側に形成される経血溜め部６に捕捉され、外へ漏れ出すことが防止される。この機能は、いわば月経カップと類似しているのであるが、カップに相当する経血溜め部６の膣内への固定手段が、経血を吸収して膨潤することにより膣内にグリップされるタンポン本体２である点に、本発明の構成上の大きな特徴があるといえる。また、膣口Ｖｈ外に露出した経血溜め部６への経血溜まりがあるかないかを目視で確認することができるので、タンポン１の交換時期も容易に把握できる利点がある。カップが子宮側奥深くに埋没装着される月経カップでは、内部のカップにどの程度経血が溜まっているか目視確認することは不可能であり、このような効果は全く期待することができない。さらに、装着時に月経カップのリングは子宮近くで大きく広がるため、取り出す際には、指を膣奥まで入れてリングを畳むのに難渋し、時として非常な苦痛を伴う場合がある。しかし、本発明のタンポン１であれば、月経カップと同様又はそれ以上の効果を発揮しつつ、通常のタンポンと全く同様に後端側を指で引っ張って抜き取るだけであり、苦痛を感じることもほとんどない。
【００５０】  次に、図１１のタンポン１の装着状態で温泉やプールに入った場合を考える。膣口Ｖｈはこの時、水中に没した状態になる。経血溜め部６を形成するコード被覆部６ｂの両縁外側は膣孔Ｖｈの内壁面同士の密着により封止されており、膣Ｖ内への水の侵入は抑制されるが、水中で遊泳したりして運動を行うと、膣口Ｖｈに多少の隙間ができ、水が侵入してくる場合がある。しかし、タンポン本体２の後端側は遮断部本体５（液遮断部３）で覆われており、水が仮にここまで上がってきても、内側のタンポン本体２へしみ込むことはない。その結果、従来のタンポンのように外部侵入水により吸収代が食われて、早い段階で経血漏れを起こしたりする心配がない。
【００５１】  そして、図１３のように、タンポン本体２が経血吸収により十分膨張すると、タンポン本体２の後端部は遮断部本体５とともに膣Ｖの内面に強く密着するようになるので、膣口Ｖｈ側からの水の浸透はさらに生じにくくなる。このように、本発明のタンポン１を使用すれば、温泉入浴や海水浴あるいはプール遊泳を行なっても、経血漏れを極めて効果的に抑制でき、生理中であっても安心して活動することができる。
【００５２】  なお、図１５に示すように、液遮断部３においてテーパ状の延長部を省略し、コード被覆部に相当する経血溜め部６を遮断部本体５に直結することも可能である。また、図１６に示すように、延長部６ａ’をテーパ状に縮径せず、遮断部本体５を同径のまま延長して形成することも可能である。また、図１において、細長い経血溜め部６を膣口外に延出させて装着することで、使用済のタンポンはこの延出する経血溜め部６を引っ張って取り出すこともできるから、取り出しコード７を省略した構造とすることが十分可能である。
【００５３】（実施の形態２）
図２０は、本発明の実施の形態２にかかるタンポン２００を示すものである。構成上は図１のタンポン１と共通する部分も多いので、主にその相違点について説明し、同一の構成要素には同一の符号を付与して詳細な説明は省略する。図２２はタンポン２００の装着状態を示すものであり、経血溜め部６のうち膣Ｖ内に配置される部分が、遮断部本体５よりも高剛性を有する膣封止部６ｒとして形成されている。
【００５４】  図１と同様に可撓性の熱可塑性樹脂フィルムからなる遮断部本体５の後端側は、タンポン本体２の後端部から延出して、一体のテーパ状の延長部６ａを形成している。膣封止部６ｒはこの延長部６ａに着脱可能に結合されている。具体的には、延長部６ａと膣封止部６ｒとの間に、膣封止部６を着脱するためのコネクタ部が設けられている。図２３は、その詳細を示すものである。コネクタ部１０は熱可塑性樹脂（例えばポリプロピレン）により、中間にフランジ部を有する中空筒状に形成されておいる。コネクタ部１０の円筒状の前端部には遮断部本体５から延びる延長部６ａが外側から被せられ、周方向の熱圧着部ｈｓにより液密に固着されている。
【００５５】  他方、コネクタ部１０の後端部には、膣封止部６ｒを着脱可能に嵌合させる嵌合部１０ｅが形成されている。嵌合部１０ｅは、本実施形態では、コネクタ部１０の後端部に周方向に形成された凸条部であり、膣封止部６ｒの開口内縁側に形成された周方向の溝６ｇと弾性的に噛み合うことにより嵌合するようになっている。本実施形態では膣封止部６ｒは、底部側が丸められた筒状形態をなし、遮断部本体５よりも壁厚が大きくなるように、ポリプ口ピレン樹脂あるいはシリコーンゴムなどの成形体として構成されている。図２１は、タンポン本体２００をアプリケータ５０に収容した状態を示している。アプリケータ５０の構成は図２とほとんど同じであるが、膣封止部６ｒがタンポン本体２の後端側に配置される分だけ、ケース５１の長さを大きくする必要がある。
【００５６】  図２２のごとく、膣封止部６ｒの剛性を高めておくことで、膣封止部６ｒと膣内面との密着性が向上し、膣口Ｖｈ側からタンポン本体２に向けた水の逆流をより起こりにくくすることができる。図２２では、タンポン２００が膣Ｖに対し、膣封止部６ｒの後端部が膣口Ｖｈから露出するように装着されている。これにより、膣封止部６ｒ内への経血の流れ込み、ひいてはタンポンの交換時期を把握することができる。なお、タンポン本体２の後端から延びる取り出しコード７は、末端が折りたたまれて膣封止部６ｒ内に収容されている。タンポン２００を使用後は、膣封止部６ｒをコネクタ１０から取り外し、洗浄して再利用することが可能である。
【００５７】  膣封止部６ｒは剛性が高いことから、タンポン取り出しの便宜を図るために膣封止部６ｒの先端を膣口Ｖｈ外に露出させると、使用者の違和感が大きくなる。従って装着感が優先される場合は、膣封止部６ｒが膣内に埋没するように装着する使い方も当然にあり得る。この場合、図２４に示す等に、膣封止部６ｒに取り出しコード７の先端を結合しておくことができる。これによると、膣封止部６ｒの膣口からの露出長を短くした使い方や、あるいは膣内に膣封止部６ｒを埋没させてしまう使い方を実施しても、膣封止部６ｒにつながる取り出しコード７を通常のタンポンと同様に膣口外に引き出しておけば、これを引っ張ることにより使用済みのタンポン２００を容易に取り出すことができる。
【００５８】  なお、取り出しコード７の先端部は、膣封止部６ｒの後端をなす底部に対し、先端縁が底部の厚み方向において中間に位置するように埋設されている。具体的には、膣封止部６ｒの内部底面から突出する形でバンプ６ｄが形成され、取り出しコード７の前端部に形成された径拡大部７ｔが該バンプ６ｄ内に埋め込まれている。この構成では、膣封止部６ｒの内部が底部を介して取り出しコード７先端部と空間的に隔離されるので、膣封止部６ｒにたまり込む経血が取り出しコード７を介して外へ漏れ出す心配がない。
【００５９】  また、膣封止部６ｒをポリプロピレン等の熱可塑性樹脂により形成しておくことで、図２５に示すように、遮断部本体５から延びる延長部６ａの末端に膣封止部６ｒを、周方向の熱圧着部ｈｓを介して直接液密結合することもできる。この構成はコネクタ部を設ける場合よりも簡易であり、膣封止部６ｒを含めたタンポン全体を使い捨て形態にする場合に好都合である。
【００６０】（実施の形態３）
タンポン本体は、図３の形態に限らず、例えば図２６のタンポン４００のごとく、シート状の吸収材をロール状に巻いたタンポン本体１０２を採用することも可能である。図２７に示すように、このようなタンポン本体１０２は、経血吸収により半径方向に一様に膨潤するため、遮断部本体５に対する流通許容結合部４の結合点を、周方向にほぼ等間隔で設定することが望ましい。
【００６１】  また、図２８のタンポン５００においては、流通許容結合部１０４を、遮断部本体５の外側からはめ込まれるリング状の弾性部材（例えば、輪ゴムである）で構成している。弾性部材１０４の緊束力は、遮断部本体５と下地をなすタンポン本体２との密着が過度にならず、経血の流通を妨げない程度に調整しておく必要がある。また、図２９のタンポン６０５は、遮断部本体６０５、経血溜め部６０６（延長部６０６ａ及びコード被覆部６０６ｂ）が同様に作り込まれた液遮断部６０３の全体をゴムで形成し、その遮断部本体６０５側の縁部に流通許容結合部６０４を、遮断部本体６０５と一体のリング状の弾性部で形成した例を示している。
【００６２】（実施の形態４）
図３０に示すタンポン７００は、図１のタンポンとほぼ同様の構成であり、液遮断部７０３は遮断部本体７０５、経血溜め部７０６（主経血通路形成撓み部７０３ａ，延長部７０６ａ、取り出しコード被覆部７０６ｂを有する）を備えているが、液遮断部７０３の全体がゴム、例えばコンドーム等に使用されるラテックスゴム（厚さ例えば０．０２〜０．１ｍｍ）にて形成されている。このように薄手のゴム材料により液遮断部７０３を構成することにより、タンポン装着時に膣内に感ずる違和感を軽減できる。また、ゴムは柔軟であり、可撓性もポリエチレン等よりもさらに良好であるため、膣内壁面（あるいは膣孔内面）との密着度が増し、多少しわが寄っても液密性を確保しやすいので、経血漏れや膣口側からの水の侵入をより確実に防止することができる。
【００６３】  また、この実施形態では、遮断部本体７０５の開口縁に沿ってリング状の弾性部７１０ｂを一体形成している。この弾性部７１０は遮断部本体７０５と同様にゴム等により形成可能であり、例えば遮断部本体７０５と同一材質のゴム材料により形成することができる。該弾性部７０３ｂを形成しておくと、膣内面と開口縁との間が弾性部７１０によってシールされ、経血の迂回漏れがより起こりにくくなる利点がある。また、膣口外の経血溜め部７０６に経血が溜まった状態で着座するなどして圧迫が加わった場合も、経血溜め部７０６から遮断部本体７０５を経て外へ向かおうとする経血の逆流を弾性部７１０ｂが遮断し、漏れを防ぐことができる。
【００６４】  なお、液遮断部７０３を表面が平滑なゴムで形成する場合、図８を援用して示すごとく、タンポン本体２の全長をＬ、タンポン本体２の後端部の遮断部本体７０５に覆われている区間の長さをＬ’としたとき、Ｌ’／Ｌは０．３以上０．５以下に設定することが望ましい。Ｌ’／Ｌが０．５を超えた場合、平滑なゴムからなる遮断部本体７０５のタンポン本体２の被覆面積が大きくなりすぎ、膣内面との間が滑りやすくなって、装着したタンポンが膣から脱落しやすくなる場合がある。
【００６５】  また、図３１は、図３０のタンポン７００において、流通許容結合部の形成形態を変更した実施形態を示すものである。このタンポン７５０においては、図３２に平面図を示すごとく、流通許容結合部４による遮断部本体７０５とタンポン本体２との結合点の位置が、タンポン本体２の切れ目８に対応した第一の結合点Ｇと、タンポン本体２の断面直径方向におけるこれと反対側の第二の結合点Ｆとの２か所に設定されている。この２つの結合点Ｇ，Ｆは、遮断部本体７０５とタンポン本体２とをタンポン本体２の断面直径方向に貫通往復する一体の縫合部７４により、２つの流通許容結合部４，４を同時に形成しつつ連結されている。
【００６６】  図３３及び図３４は、経血を飽和に近い状態まで吸収した状態を示すものであり、ゴム製の遮断部本体７０５は、開口縁をなす弾性部７１０と流通許容結合部４との間の区間が、装着時の膣内面との摩擦により折り返された形状になっている。また、２つの流通許容結合部４，４を結ぶ縫合部７４は、経血を吸収する前の状態でタンポン本体２の直径相当の長さが確保されており、タンポン本体２の折り目Ｊにおける吸収材の厚みが経血吸収により厚みを増したときも、縫合部７４の長さまでは膨張代が確保される。また、切れ目８にて開くタンポン本体２の両側部分は、縫合部７４の両側に膨出する遮断部本体７０５の各部分の撓みを吸収しながら各々その内側にて膨張する形となる。この構成では、図３１ほどには大きな経血通路は形成されないが、２つの結合点Ｇ，Ｆのそれぞれの側に経血通路が形成され、経血溜め部７０６に経血をスムーズに導くことができる。遮断部本体７０５をラテックスゴムで構成する場合、遮断部本体７０５の内径は、タンポン本体２の外径の１．５倍以上２．５倍以下程度に設定することが望ましい。
【００６７】  以上、本発明の種々の実施形態を示したが、本発明はこれらに限定されるものではなく、本発明の概念を逸脱しない範囲内で、当業者による種々の変形を加えて実施することが可能である。
【符号の説明】
【００６８】１，２００，３００，４００，５００，６００，７００，７５０  タンポン
２，１０２  タンポン本体
３，６０３，７０３  液遮断部
４  流通許容結合部
５，６０５，７０５  遮断部本体
６，６０６，７０６  経血溜め部
７  取り出しコード
【図１】
2018038771.tif 000003
【図２】
2018038771.tif 000004
【図３】
2018038771.tif 000005
【図４】
2018038771.tif 000006
【図５】
2018038771.tif 000007
【図６】
2018038771.tif 000008
【図７】
2018038771.tif 000009
【図８】
2018038771.tif 000010
【図９】
2018038771.tif 000011
【図１０】
2018038771.tif 000012
【図１１】
2018038771.tif 000013
【図１２】
2018038771.tif 000014
【図１３】
2018038771.tif 000015
【図１４】
2018038771.tif 000016
【図１５】
2018038771.tif 000017
【図１６】
2018038771.tif 000018
【図１７】
2018038771.tif 000019
【図１８】
2018038771.tif 000020
【図１９】
2018038771.tif 000021
【図２０】
2018038771.tif 000022
【図２１】
2018038771.tif 000023
【図２２】
2018038771.tif 000024
【図２３】
2018038771.tif 000025
【図２４】
2018038771.tif 000026
【図２５】
2018038771.tif 000027
【図２６】
2018038771.tif 000028
【図２７】
2018038771.tif 000029
【図２８】
2018038771.tif 000030
【図２９】
2018038771.tif 000031
【図３０】
2018038771.tif 000032
【図３１】
2018038771.tif 000033
【図３２】
2018038771.tif 000034
【図３３】
2018038771.tif 000035
【図３４】
2018038771.tif 000036